【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
複数の画像クリップにそれぞれ対応した複数の代表画像を前記複数の画像クリップの再生順に従って同一画面上に表示したストーリーボードを用いて前記複数の画像クリップ及び前記画像クリップと共に再生される複数の音声クリップを編集する装置であって、
前記複数の音声クリップを示す音声レーンを前記複数の代表画像と並列に表示し、前記音声レーンにおいて、前記代表画像の左端に対応した位置又は右端に対応した位置の何れかに前記音声クリップの境界を表示することを特徴とする編集装置。
【請求項２】
前記複数の音声クリップのうち最初に再生される先頭の音声データからｎ番目の音声データ（ｎ＞０）までの再生時間の合計が前記複数の画像クリップのうち最初に再生される先頭の画像クリップの再生時間より短かった場合、前記先頭の音声データからｎ番目の音声データまでを先頭の音声クリップとし、前記音声レーンにおいて、前記先頭の画像クリップの代表画像の右端に対応する位置に前記先頭の音声クリップの終端の境界を表示し、前記音声レーンの左端を前記先頭の音声クリップの先端として表示することを特徴とする請求項１記載の編集装置。
【請求項３】
ｍ番目の前記画像クリップ（ｍ＞１）の再生期間の途中で前記先頭の音声データが再生を終了する場合、前記音声レーンにおいて、前記ｍ番目の画像クリップの代表画像の左端に対応する位置に前記先頭の音声データに対応する音声クリップの終端の境界を表示し、前記音声レーンの左端を前記先頭の音声クリップの先端として表示することを特徴とする請求項１記載の編集装置。
【請求項４】
前記先頭の音声データの再生時間が全ての画像クリップの再生時間の合計よりも長い場合、前記音声レーンにおいて、前記複数の画像クリップのうち最後に再生される画像クリップの次の仮想クリップに係る代表画像の表示領域の左端位置に前記先頭の音声データに対応する音声クリップの終端の境界を表示し、前記音声レーンの左端を前記先頭の音声クリップの先端として表示することを特徴とする請求項１記載の編集装置。
【請求項５】
ｎ−１番目の音声データ（ｎ＞１）を表す音声クリップの終端の境界が、前記音声レーンにおいて、ｍ番目（ｍ＞０）の画像クリップの代表画像の左端に対応する位置に表示されており、ｍ番目の画像クリップの再生期間中にｎ＋ｋ番目の音声データ（ｋ≧０）が再生を終了し、ｍ＋１番目の画像クリップの再生期間中にｎ＋ｋ＋１番目の音声データが再生を終了する場合、ｎ番目からｎ＋ｋ番目までの音声データまでを一つの音声クリップとし、前記音声レーンにおいて、前記ｍ番目の画像クリップの代表画像の左端に対応する位置に前記一つの音声クリップの先端の境界を表示し、右端に対応する位置に前記音声クリップの終端の境界位置を表示することを特徴とする請求項１記載の編集装置。
【請求項６】
ｎ−１番目の音声データ（ｎ＞１）を表す音声クリップの終端の境界が、前記音声レーンにおいて、ｍ番目（ｍ＞０）の画像クリップの代表画像の左端に対応する位置に表示されており、ｍ＋ｌ（ｌ＞０）番目の画像クリップの再生期間中にｎ番目の音声データが再生を終了する場合、前記音声レーンにおいて、前記ｍ番目の画像クリップの代表画像の左端に対応する位置に前記ｎ番目の音声データに対応する音声クリップの先端の境界を表示すると共に、ｍ＋ｌ番目の画像クリップの代表画像の左側に対応する位置に前記ｎ番目の音声データに対応する音声クリップの終端の境界を表示することを特徴とする請求項１記載の編集装置。
【請求項７】
ｎ−１番目の音声データ（ｎ＞１）を表す音声クリップの終端の境界が、前記音声レーンにおいて、ｍ番目（ｍ＞０）の画像クリップの代表画像の左端に対応する位置に表示されており、ｎ番目の音声データの再生期間中に前記ｍ番目の画像クリップ以降の全ての画像クリップの再生が終了する場合、前記ｎ番目の音声データから最後の音声データを一つの音声クリップとし、前記音声レーンにおいて、前記ｍ番目の画像クリップの代表画像の左端に対応した位置に前記一つの音声クリップの先端の境界を表示すると共に、前記複数の画像クリップのうち最後に再生される画像クリップの次の仮想クリップに係る代表画像の表示領域の左端に対応した位置に前記一つの音声クリップの終端の境界を表示することを特徴とする請求項１記載の編集装置。
【請求項８】
ｎ−１番目の音声データ（ｎ＞１）を表す音声クリップの終端の境界が、前記音声レーンにおいて、ｍ番目（ｍ＞０）の画像クリップの代表画像の右端に対応する位置に表示されており、ｍ＋ｌ（ｌ＞０）番目の画像クリップの再生期間中にｎ番目の音声データの再生が終了する場合、前記音声レーンにおいて、前記ｍ番目の画像クリップの代表画像の右端に対応した位置に前記ｎ番目の音声データに対応する音声クリップの先端の境界を表示すると共に、前記ｍ＋ｌ番目の画像クリップに対応した代表画像の左端に対応した位置に前記ｎ番目の音声データに対応する音声クリップの終端の境界を表示することを特徴とする請求項１記載の編集装置。
【請求項９】
ｎ−１番目の音声データ（ｎ＞１）を表す音声クリップの終端の境界が、前記音声レーンにおいて、ｍ番目（ｍ＞０）の画像クリップの代表画像の右端に対応する位置に表示されており、ｎ番目の音声データの再生期間中に前記複数の画像クリップのうち最後に再生される画像クリップの再生が終了する場合、前記音声レーンにおいて、前記ｍ番目の画像クリップの代表画像の右端に対応した位置に前記ｎ番目の音声データから最後に再生される音声データまでに対応する音声クリップの先端の境界を表示すると共に、前記複数の画像クリップのうち最後に再生される画像クリップの次の仮想クリップに係る代表画像の表示領域の左端に対応した位置に前記ｎ番目の音声データから最後の音声データに対応する音声クリップの終端の境界を表示することを特徴とする請求項１記載の編集装置。
【請求項１０】
複数の音声データから構成された一つの音声クリップを選択すると、前記音声クリップを構成する複数の音声データのリストを表示し、前記リストから一つまたは複数の音声データを選択する選択手段を備えたことを特徴とする請求項１〜９記載の編集装置。
【請求項１１】
前記音声レーンに表示されている複数の音声クリップのうちの任意の音声クリップを選択し、前記選択された音声クリップを音声レーン上の他の表示位置に移動することにより、前記音声クリップの再生順序を変更することを特徴とする請求項１〜１０記載の編集装置。
【請求項１２】
前記複数の画像クリップと音声クリップを記憶した記憶媒体と、前記画像クリップと音声クリップの編集結果に基づいて再生プログラムを生成する生成手段とを備えたことを特徴とする請求項１記載の編集装置。
【請求項１３】
複数の画像クリップにそれぞれ対応した複数の代表画像をその再生順に従って表示したストーリーボードを用いて前記複数の画像クリップ及び複数の音声クリップを編集する方法であって、
前記複数の音声クリップを示す音声レーンを前記複数の代表画像と並列に表示し、前記音声レーンにおいて、前記代表画像の左端に対応した位置又は右端に対応した位置の何れかに前記音声クリップの境界を表示することを特徴とする編集方法。
【請求項１４】
請求項１３記載の編集方法をコンピュータにより実行するためのプログラムを記憶した記憶媒体。
【手続補正２】
【補正対象書類名】明細書
【補正対象項目名】０００９
【補正方法】変更
【補正の内容】
【０００９】
本発明は、複数の画像クリップにそれぞれ対応した複数の代表画像を前記複数の画像クリップの再生順に従って同一画面上に表示したストーリーボードを用いて前記複数の画像クリップ及び前記画像クリップと共に再生される複数の音声クリップを編集する装置であって、前記複数の音声クリップを示す音声レーンを前記複数の代表画像と並列に表示し、前記音声レーンにおいて、前記代表画像の左端に対応した位置又は右端に対応した位置の何れかに前記音声クリップの境界を表示することを特徴とする。